(57)【要約】【課題】浴槽台を浴槽内で使用する場合において、使い勝手の向上を図ることができる浴槽台を提供する。【解決手段】浴槽台１０は、台部１１と、その台部１１の下方に設けられた支持脚１２と、その支持脚１２の下端部に取り付けられた脚ゴム１８と、その脚ゴム１８の底面部に脚ゴム１８と一体に設けられた吸盤３１と、を備える。支持脚１２には、上下方向に貫通して延びる中空部が形成されている。台部１１には、中空部の真上に中空部を上側に開放させる上孔部が形成され、脚ゴム１８には、中空部の真下に中空部を下側に開放させる下孔部４１が形成されている。吸盤３１は下孔部４１に対して脚ゴム１８の底面方向にずらして配置されている。【選択図】      図２
2020168316.tif 000002
【特許請求の範囲】
【請求項１】
台部と、
その台部の下方に設けられた支持脚と、
その支持脚の下端部に取り付けられた脚ゴムと、を備え、
前記支持脚には、上下方向に貫通して延びる中空部が形成され、
前記台部には、前記中空部の真上に前記中空部を上側に開放させる上孔部が形成され、
前記脚ゴムには、前記中空部の真下に前記中空部を下側に開放させる下孔部が形成されていることを特徴とする浴槽台。
【請求項２】
台部と、
その台部の下方に設けられた支持脚と、を備え、
前記支持脚には、上下方向に貫通して延びる中空部が形成され、
前記台部には、前記中空部の真上に前記中空部を上側に開放させる上孔部が形成され、
前記中空部は、その下端開口となる下孔部を通じて下側に開放されていることを特徴とする浴槽台。
【請求項３】
前記脚ゴムの底面部に前記脚ゴムと一体に設けられた吸盤を備え、
前記吸盤は前記下孔部に対して前記脚ゴムの底面方向にずらして配置されていることを特徴とする請求項１に記載の浴槽台。
【請求項４】
前記下孔部は、非円形状とされ、
前記下孔部と前記吸盤とは、前記底面方向のうち、前記下孔部の開口幅が最大となる最大開口幅方向とは異なる方向に並んで配置されていることを特徴とする請求項３に記載の浴槽台。
【請求項５】
前記支持脚は、その断面が前記下孔部の形状に対応する非円形状とされた筒状体よりなり、
前記脚ゴムと一体で設けられ、前記支持脚に下方から内挿又は外挿されることで前記脚ゴムを前記支持脚に取り付ける取付部を備えることを特徴とする請求項４に記載の浴槽台。
【請求項６】
前記下孔部は、前記支持脚の前記中空部の下端開口に合わせた大きさ及び形状を有して形成されていることを特徴とする請求項３乃至５のいずれか一項に記載の浴槽台。
【請求項７】
前記上孔部は、細長形状を有しているか、又は複数形成されていることを特徴とする請求項１乃至６のいずれか一項に記載の浴槽台。
【請求項８】
前記上孔部は、細長形状を有しており、その延びる方向の長さが前記下孔部の最大開口幅よりも大きくされていることを特徴とする請求項７に記載の浴槽台。
【請求項９】
前記上孔部は、円弧状に延びていることを特徴とする請求項８に記載の浴槽台。
【発明の詳細な説明】
【技術分野】
【０００１】
本発明は、浴槽台に関する。
【背景技術】
【０００２】
従来より、浴室の洗い場や浴槽内において踏み台や腰掛け等として用いられる浴槽台が知られている。一般に、浴槽台は、台部と、その台部を下方から支持する複数の支持脚とを備えている。支持脚は、上下に延びる筒状に形成され、その下端部には脚ゴムが取り付けられている。また、脚ゴムの底面部には吸盤が設けられ、浴槽台を洗い場や浴槽内に配置する際には、その吸盤を洗い場の床面や浴槽の底面に吸着させることで浴槽台を固定することが可能となっている。
【０００３】
ところで、浴槽台では支持脚が筒状とされているため、浴槽台を浴槽内で使用する際には支持脚の内部に水が入り込むことが考えられる。そこで特許文献１では、支持脚の内部に入り込んだ水を外部に排出するための排水構造が提案されている。
【０００４】
この特許文献１の排水構造では、脚ゴムが、平面視において円形状をなす盤状部と、盤状部から上方に延びる円筒状の挿入部とを有しており、その挿入部が支持脚内に下方から挿入されることで脚ゴムが支持脚の下端部に取り付けられている。挿入部には、その周壁部の下端部に水抜き孔が形成されており、支持脚の下端部には、水抜き孔と連通する水抜きが形成されている。これにより、支持脚の内部に水が入り込んだ場合には、その水が挿入部の水抜き孔と支持脚の水抜きとを通じて外部に排出されるようになっている。
【先行技術文献】
【特許文献】
【０００５】
【特許文献１】特許第６３７１６４２号公報
【発明の概要】
【発明が解決しようとする課題】
【０００６】
ここで、上述した特許文献１の排水構造では、支持脚の内部に入った水が支持脚の下端部において側方に向けて排出されることになる。このため、浴槽台を浴槽内から取り出す際に、支持脚内の水が速やかに排出されないおそれがある。
【０００７】
また、特許文献１の浴槽台（ひいては一般の浴槽台）は、支持脚の上方に台部が設けられているため、支持脚内が台部によって上方から覆われている。このため、浴槽台を浴槽内に沈めて配置する際に、支持脚内の空気が速やかに排出されないおそれがある。その場合、浴槽台に浮力が生じて浴槽台を速やかに沈めることができないおそれがある。
【０００８】
このように、特許文献１の浴槽台は、浴槽内で使用する場合において、その使い勝手の面で未だ改善の余地を有しているといえる。
【０００９】
本発明は、上記事情に鑑みてなされたものであり、浴槽台を浴槽内で使用する場合において、使い勝手の向上を図ることができる浴槽台を提供することを主たる目的とするものである。
【課題を解決するための手段】
【００１０】
上記課題を解決すべく、第１の発明の浴槽台は、台部と、その台部の下方に設けられた支持脚と、その支持脚の下端部に取り付けられた脚ゴムと、を備え、前記支持脚には、上下方向に貫通して延びる中空部が形成され、前記台部には、前記中空部の真上に前記中空部を上側に開放させる上孔部が形成され、前記脚ゴムには、前記中空部の真下に前記中空部を下側に開放させる下孔部が形成されていることを特徴とする。
【００１１】
本発明によれば、支持脚の中空部が脚ゴムに形成された下孔部により下側に開放されているため、中空部に入った水を下孔部を通じて真下に排出することができる。これにより、浴槽台を浴槽内から取り出す際、中空部内の水を速やかに排出することができる。
【００１２】
また、支持脚の中空部は台部に形成された上孔部により上側に開放されているため、浴槽台を浴槽内に沈めて配置する際には中空部内の空気を上孔部を通じて速やかに排出することができる。また、中空部の真下に下孔部が形成されているため、浴槽台を浴槽内に沈める際には、その下孔部から中空部に水が導入し易くなっている。そのため、その水の導入によっても中空部内の空気の排出を促すことができる。これにより、浴槽台を浴槽内に沈める際に、浴槽台を速やかに沈めることが可能となる。よって、以上より、浴槽台を浴槽で使用する場合において、その使い勝手を向上させることができる。
【００１３】
第２の発明の浴槽台は、台部と、その台部の下方に設けられた支持脚と、を備え、前記支持脚には、上下方向に貫通して延びる中空部が形成され、前記台部には、前記中空部の真上に前記中空部を上側に開放させる上孔部が形成され、前記中空部は、その下端開口となる下孔部を通じて下側に開放されていることを特徴とする。
【００１４】
本発明によれば、支持脚の中空部がその下端開口（下孔部）を通じて下側に開放されているため、中空部に入った水をその下端開口を通じて真下に排出することができる。これにより、浴槽台を浴槽内から取り出す際、中空部内の水を速やかに排出することができる。また、支持脚の中空部は台部の上孔部により上側に開放されているため、浴槽台を浴槽内に沈めて配置する際には中空部内の空気を上孔部を通じて速やかに排出することができる。よって、本発明においても、上記第１の発明と同様、浴槽台を浴槽で使用する場合に、その使い勝手を向上させることができる。
【００１５】
第３の発明の浴槽台は、第１の発明において、前記脚ゴムの底面部に前記脚ゴムと一体に設けられた吸盤を備え、前記吸盤は前記下孔部に対して前記脚ゴムの底面方向にずらして配置されていることを特徴とする。
【００１６】
一般に、脚ゴムには、その底面部に吸盤が一体に設けられる。そこで本発明では、このような吸盤付きの脚ゴムにおいて、吸盤を下孔部に対して脚ゴムの底面方向にずらして配置している。この場合、吸盤によって下孔部が覆われることがないため、脚ゴムに吸盤が設けられた構成にあっても、中空部内の水を下方に向け速やかに排出することができる。
【００１７】
第４の発明の浴槽台は、第３の発明において、前記下孔部は、非円形状とされ、前記下孔部と前記吸盤とは、前記底面方向のうち、前記下孔部の開口幅が最大となる最大開口幅方向とは異なる方向に並んで配置されていることを特徴とする。
【００１８】
ところで、支持脚の真下に位置する下孔部に対し吸盤をずらして配置した上述の構成では、支持脚からの下向き荷重が吸盤に上手く伝わらないおそれがある。そこで本発明では、この点に鑑み、下孔部を非円形状とし、その下孔部と吸盤とを、下孔部の開口幅が最大となる最大開口幅方向とは異なる方向に並ぶように配置している。この場合、平面視において吸盤を支持脚の軸線寄りに位置させ易くすることができるため、支持脚からの荷重を吸盤に伝え易くすることができる。これにより、吸盤を下孔部に対してずらして配置した構成にあって、吸盤による吸着力を確保し易くすることができる。
【００１９】
第５の発明の浴槽台は、第４の発明において、前記支持脚は、その断面が前記下孔部の形状に対応する非円形状とされた筒状体よりなり、前記脚ゴムと一体で設けられ、前記支持脚に下方から内挿又は外挿されることで前記脚ゴムを前記支持脚に取り付ける取付部を備えることを特徴とする。
【００２０】
本発明によれば、支持脚の断面が下孔部の形状に合わせた非円形状とされている。これにより、下孔部が非円形状とされた構成にあって、支持脚の中空部から下孔部を通じて水が排出される際の水の流れを円滑にすることができ、その結果、中空部内の水の排出を円滑に行うことができる。
【００２１】
また、脚ゴムと一体で設けられた取付部が断面非円形状の支持脚に下方から内挿又は外挿されることで取り付けられているため、脚ゴムが支持脚の軸線周り方向に回転するのを規制することができる。そのため、吸盤が支持脚の軸線に対して偏った位置に配置される上記の構成にあって、支持脚の軸線周り方向における吸盤の位置を規定することができる。これにより、各支持脚ごとに、支持脚に対する吸盤の位置関係を同じとすることができるため、各支持脚ごとに吸盤位置が変わることで吸盤による吸着バランスが悪くなるといった不都合が生じるのを防止できる。
【００２２】
第６の発明の浴槽台は、第３乃至第５のいずれかの発明において、前記下孔部は、前記支持脚の前記中空部の下端開口に合わせた大きさ及び形状を有して形成されていることを特徴とする。
【００２３】
本発明によれば、下孔部が支持脚の中空部の下端開口に合わせた大きさ及び形状を有して形成されているため、下孔部を通じて支持脚内（中空部）を清掃し易くすることができる。これにより、脚ゴムを支持脚から取り外すことなく、支持脚内を清掃することが可能となる。
【００２４】
第７の発明の浴槽台は、第１乃至第６のいずれかの発明において、前記上孔部は、細長形状を有しているか、又は複数形成されていることを特徴とする。
【００２５】
本発明によれば、上孔部が細孔形状を有しているため、使用者が上孔部に誤って指を入れてしまうのを防止することができる。又は、本発明によれば、上孔部が複数形成されているため、各上孔部の大きさを小さくすることができる。そのため、この場合にも、使用者が上孔部に誤って指を入れてしまうのを防止することができる。
【００２６】
第８の発明の浴槽台は、第７の発明において、前記上孔部は、細長形状を有しており、その延びる方向の長さが前記下孔部の最大開口幅よりも大きくされていることを特徴とする。
【００２７】
本発明によれば、上孔部の長さが下孔部の最大開口幅よりも大きくされているため、細長形状であってもその開口面積を十分に確保することができる。このため、使用者が上孔部に指を入れてしまうのを防止しながら、浴槽台を浴槽内に沈める際には上孔部を通じて中空部内の空気を円滑に排出することができる。
【００２８】
第９の発明の浴槽台は、第８の発明において、前記上孔部は、円弧状に延びていることを特徴とする。
【００２９】
本発明によれば、上孔部が円弧状に延びているため、上孔部を細長形状としながらも上孔部の長さ範囲の大部分について中空部の真上に位置させることができる。これにより、上孔部を通じた中空部内の空気の排出をより円滑に行うことが可能となる。
【図面の簡単な説明】
【００３０】
【図１】浴槽台を斜め上方から見た斜視図。
【図２】浴槽台を斜め下方から見た斜視図。
【図３】（ａ）及び（ｂ）ともに支持脚とその支持脚に取り付けられた各種部材とを示す斜視図。
【図４】（ａ）及び（ｂ）ともに支持脚の構成を示す斜視図。
【図５】（ａ）が脚ゴムとその脚ゴムに取り付けられた取付部材とを斜め上方から見た斜視図であり、（ｂ）が斜め下方から見た斜視図である。
【図６】脚ゴムが内筒の下端部に取り付けられた状態を示す斜視図。
【図７】脚ゴム周辺を拡大して示す底面図。
【図８】天板部に形成された上孔部を拡大して示す平面図。
【発明を実施するための形態】
【００３１】
以下に、本発明を具体化した一実施の形態について図面を参照しつつ説明する。なお、図１は浴槽台１０を斜め上方から見た斜視図であり、図２は浴槽台１０を斜め下方から見た斜視図である。
【００３２】
図１及び図２に示すように、浴槽台１０は、台部１１と、その台部１１を支持する複数の支持脚１２とを備える。台部１１は、座部１３と、その座部１３を下方から支えるフレーム体１４とを備える。座部１３は、合成樹脂材料により形成され、天板部１５と、その天板部１５の周縁部から下方に延びる側板部１６とを有している。天板部１５は、平面視の形状が矩形形状とされ、詳しくは長方形状とされている。また、側板部１６は、天板部１５の周縁部に沿って環状に形成されている。
【００３３】
天板部１５の上面には座面シート１７が敷設されている。座面シート１７はクッション材により形成され、その上面が座面となっている。なお、座面シート１７は必ずしもクッション材により形成される必要はなく、ゴム材により形成されてもよい。
【００３４】
フレーム体１４は、アルミダイカスト（鋳造）により成形された平面視矩形の枠体である。フレーム体１４は、座部１３の天板部１５の下面側に設けられ、その周囲が側板部１６により囲まれた状態で配置されている。このフレーム体１４に対して座部１３が取り付けられている。
【００３５】
フレーム体１４は、その４隅に上下に延びる筒状をなす筒状部１４ａを有している。これら各筒状部１４ａにはそれぞれ支持脚１２の上端部が挿入されており、その挿入状態で支持脚１２が筒状部１４ａに固定されている。また、各支持脚１２の下端部には脚ゴム１８が取り付けられている。
【００３６】
続いて、支持脚１２に関する構成について図３及び図４に基づいて説明する。図３は、（ａ）及び（ｂ）ともに、支持脚１２とその支持脚１２に取り付けられた各種部材とを示す斜視図となっている。なお、図３（ａ）と図３（ｂ）とは支持脚１２及び各種部材を異なる方向から見ている。また、図４は、（ａ）及び（ｂ）ともに支持脚１２の構成を示す斜視図となっている。なお、図４（ａ）と図４（ｂ）とは支持脚１２を異なる方向から見ている。
【００３７】
図３及び図４に示すように、支持脚１２は、外筒２１と、その外筒２１の内側に挿入された内筒２２とを有している。外筒２１と内筒２２とはいずれもアルミニウム等の金属材料により形成され、上下方向に延びる筒状をなしている。外筒２１は、その上端部が筒状部１４ａに挿入され、その挿入状態で筒状部１４ａに固定されている。また、内筒２２の下端部には脚ゴム１８が取り付けられている。
【００３８】
外筒２１と内筒２２とはいずれも断面（詳しくは長さ方向に対して直交する断面）がＤ字状をなしている。外筒２１の断面と内筒２２の断面とはいずれも同じ形状（Ｄ字形状）とされており、外筒２１の断面が内筒２２の断面よりも一回り大きくされている。換言すると、外筒２１及び内筒２２の各断面は、円弧状をなす円弧部と、円弧部の両端を直線状につなぐ直線部とを有する形状とされている。この場合、内筒２２は外筒２１の内周面に沿って回転することが規制されている。
【００３９】
外筒２１は、内筒２２に対して上下方向にスライド可能とされている。本浴槽台１０では、外筒２１を内筒２２に対して上下方向にスライドさせることにより、支持脚１２の長さを調整することが可能となっている。そして、その支持脚１２の長さ調整により台部１１の高さ位置を調整することが可能となっている。なお、本実施形態では、支持脚１２の長さが最も短い長さに設定されている。この場合、内筒２２のほぼ全体が外筒２１の内側に収容された状態となる。
【００４０】
外筒２１には、その下部に固定ピン２３を挿通可能な挿通孔２４が形成されている。挿通孔２４は、外筒２１をその長手方向と直交する方向に貫通している。また、内筒２２にも、固定ピン２３を挿通可能な挿通孔２５が形成されている。挿通孔２５は、上下方向に所定の間隔（詳しくは等間隔）をおいて複数（具体的には５つ）形成されている。これらの挿通孔２５はいずれも内筒２２をその長手方向と直交する方向に貫通している。
【００４１】
支持脚１２の長さを調整する際には、外筒２１の挿通孔２４を内筒２２の各挿通孔２５のうちいずれかに位置合わせした状態でそれら各挿通孔２４，２５に固定ピン２３を挿通する。これにより、外筒２１が内筒２２に対して固定された状態となり、その結果、支持脚１２が上記調整した脚長さで保持される。
【００４２】
外筒２１の外周側にはリング部材２６が設けられている。このリング部材２６にも固定ピン２３を挿通可能な孔部２６ａが形成されている。固定ピン２３は、外筒２１及び内筒２２の各挿通孔２４，２５に加え、この孔部２６ａにも挿通されている。このため、リング部材２６は支持脚１２に対して上下方向への変位が規制された状態となっている。なお、固定ピン２３は、その頭部２３ａが拡径されている。
【００４３】
リング部材２６には、その外周面に環状の凹部２６ｂが形成されている。この凹部２６ｂには、Ｃ字状の抜け止め部材２７が着脱可能に取り付けられている。抜け止め部材２７は、固定ピン２３の頭部２３ａを覆った状態でリング部材２６に取り付けられ、それにより、固定ピン２３が各挿通孔２４，２５から抜け落ちるのが防止されている。
【００４４】
上述したように、支持脚１２は、断面Ｄ字状の外筒２１及び内筒２２を有して構成され、全体として、断面Ｄ字状の筒状体として形成されている。支持脚１２には、外筒２１の内部空間と内筒２２の内部空間とにより中空部２８が形成されている。中空部２８は、支持脚１２を上下方向に貫通して延びている。支持脚１２において中空部２８を囲む周壁部には、断面が円弧状をなす円弧壁部１２ａと、断面が直線状をなす直線壁部１２ｂとが含まれている。各支持脚１２はそれぞれ円弧壁部１２ａを各支持脚１２の中心となる中心位置側に向けた状態で配置されている。この場合、各支持脚１２は、互いに対角に位置する支持脚１２同士が直線壁部１２ｂを向き合わせた状態で配置され、換言すると、互いに対角に位置する支持脚１２同士が円弧壁部１２ａを反対側に向けた状態で配置されている。
【００４５】
続いて、脚ゴム１８周辺の構成について図５及び図６に基づいて説明する。図５は、（ａ）が脚ゴム１８とその脚ゴム１８に取り付けられた取付部材３３とを斜め上方から見た斜視図であり、（ｂ）が斜め下方から見た斜視図である。図６は、脚ゴム１８が内筒２２の下端部に取り付けられた状態を示す斜視図である。
【００４６】
図５及び図６に示すように、脚ゴム１８は、ゴム材により略円盤状に形成されている。脚ゴム１８には、その底面部に吸盤３１が設けられている。吸盤３１は、底面視にて円形状をなしており、ゴム材により脚ゴム１８と一体形成されている。吸盤３１は、洗い場の床面や浴槽の底面に吸着されるものであり、その吸着により浴槽台１０を固定することが可能となっている。
【００４７】
脚ゴム１８の上面側には取付部材３３が取り付けられている。脚ゴム１８は、この取付部材３３を介して支持脚１２の内筒２２の下端部に取り付けられている。取付部材３３は、硬質樹脂により形成され、平面視にて略円盤状に形成された円盤部３４と、その円盤部３４から上方に延び内筒２２の内側に挿入される挿入部３５とを有する。円盤部３４は、脚ゴム１８の上面に形成された凹部１８ａに嵌め込まれた状態で取り付けられている。なお、取付部材３３が取付部に相当する。
【００４８】
挿入部３５は、上下方向に延びる筒状をなしている。挿入部３５は、その断面（詳しくは上下方向と直交する断面）が支持脚１２の内筒２２の断面と同じＤ字形状をなしており、その断面の大きさが内筒２２の断面よりも一回り小さくされている。また、挿入部３５の内側空間は円盤部３４まで延び、その円盤部３４の下面において下方に向けて開口されている。なお、挿入部３５には、その内側空間を囲む壁部に固定ピン２３との干渉を回避するための切り欠き３５ｂが形成されている。
【００４９】
挿入部３５は、内筒２２の内側に下方から挿入されており、その挿入状態で内筒２２に取り付けられている。挿入部３５には、その外周面から互いに反対側に向けて突出する一対の突部３５ａが設けられており、内筒２２の筒壁２２ａには、それら各突部３５ａに対応する位置に一対の孔部３７が形成されている。挿入部３５が内筒２２に挿入された状態では、各突部３５ａがそれぞれ内筒２２の孔部３７に入り込んだ状態とされている。これにより、挿入部３５ひいては取付部材３３が内筒２２に対して取り付けられている。そして、これにより、脚ゴム１８が取付部材３３を介して内筒２２に取り付けられている。
【００５０】
脚ゴム１８には、支持脚１２の中空部２８の真下にその中空部２８を下側に開放させる下孔部４１が形成されている。以下、この下孔部４１について図７に基づいて説明する。図７は、脚ゴム１８周辺を拡大して示す底面図である。
【００５１】
図７に示すように、下孔部４１は、その孔形状が支持脚１２の断面形状に対応するＤ字状をなしている。そのため、下孔部４１の周縁部には、円弧状をなす円弧縁部４１ａと、その円弧縁部４１ａの両端を直線状につなぐ直線縁部４１ｂとが含まれている。各脚ゴム１８の下孔部４１は、それら各脚ゴム１８の中心となる中心位置側に直線縁部４１ｂが向くように配置されている。
【００５２】
下孔部４１は、支持脚１２の中空部２８の下端開口（換言すると内筒２２の下端開口）、すなわちＤ字状をなす当該下端開口に合わせた形状及び大きさを有している。より詳しくは、下孔部４１は、中空部２８の下端開口と同じ形状及び大きさを有して形成されている。下孔部４１は、底面視において、中空部２８の下端開口と同じ向きであってかつ同じ位置に位置するよう形成されている。したがって、下孔部４１は、底面視において、中空部２８の下端開口全体と重複している。
【００５３】
脚ゴム１８の底面側では、吸盤３１が下孔部４１に対して脚ゴム１８の底面方向にずらして配置されている。吸盤３１は、上記底面方向のうち、下孔部４１の直線縁部４１ｂと直交する方向に下孔部４１と並んで配置されている。この場合、吸盤３１は、下孔部４１の円弧縁部４１ａ及び直線縁部４１ｂのうち、直線縁部４１ｂに隣接して配置されている。吸盤３１がこのように配置されていることで、下孔部４１は、その全体（又は略全体）が吸盤３１により下方から覆われていない状態とされている。
【００５４】
ここで、下孔部４１がＤ字状とされている上記の構成では、円弧縁部４１ａの円弧中心Ｃを通って直線状に延び、その両端がそれぞれ下孔部４１の周縁部に位置する線分を想定した場合、その線分の長さが下孔部４１の開口幅に相当する。Ｄ字状の下孔部４１においては、下孔部４１の開口幅が最小となるのが、下孔部４１の開口幅方向が直線縁部４１ｂと直交する方向となる場合である。したがって、この場合における下孔部４１の開口幅方向が下孔部４１の開口幅が最小となる最小開口幅方向となっている。そのため、吸盤３１と下孔部４１とはこの最小開口幅方向に並んで配置されているということもできる。なお、以下においては、下孔部４１の最小開口幅を最小開口幅Ｗ１ともいう。
【００５５】
ちなみに、下孔部４１の開口幅が最大となる最大開口幅方向は下孔部４１の開口幅が円弧縁部４１ａの直径（円弧半径の２倍）になる方向のことである。また、以下においては、下孔部４１の最大開口幅を最大開口幅Ｗ２ともいう。
【００５６】
各脚ゴム１８のうち、対角に位置する脚ゴム１８同士を結ぶ方向を対角方向とした場合、それら各脚ゴム１８においては吸盤３１と下孔部４１とが並ぶ並び方向が対角方向と同じ方向となっている。この場合、吸盤３１と下孔部４１とのうち、吸盤３１が対角方向における内側に位置し、下孔部４１が外側に位置している。また、脚ゴム１８では、吸盤３１と下孔部４１とが並んで配置されている関係で、それら両者３１，４１が並ぶ並び方向の長さが上記並び方向と直交する方向の長さよりも長くなっている。
【００５７】
続いて、座部１３の天板部１５に形成された上孔部４２について図８に基づいて説明する。図８は、天板部１５に形成された上孔部４２を拡大して示す平面図である。なお、図８では、説明の便宜上、下孔部４１を二点鎖線で示している。
【００５８】
図８に示すように、座部１３の天板部１５には、支持脚１２の中空部２８の真上にその中空部２８を上側に開放させる上孔部４２が形成されている。上孔部４２は、各支持脚１２ごとに設けられており、そのため、天板部１５には、その４隅にそれぞれ上孔部４２が設けられている（図１も参照）。
【００５９】
上孔部４２は、平面視において、円弧状に細長く延びる細長形状とされている。詳しくは、上孔部４２は、天板部１５の対角線方向において天板部１５の中央部側とは反対側に向けて凸となる円弧状をなしている。より詳しくは、上孔部４２は、その周縁部として、同一の円弧中心を有することで同心円弧状に延びる一対の円弧縁部４２ａ，４２ｂと、各円弧縁部４２ａ，４２ｂの端部同士を滑らかに繋ぐ円弧状の繋ぎ縁部４２ｃ，４２ｄとを有する。
【００６０】
上孔部４２は、その円弧状に延びている方向の長さＬが下孔部４１の最大開口幅Ｗ２よりも大きくされている（Ｌ＞Ｗ２）。この場合、上孔部４２の長さＬは、上孔部４２において各繋ぎ縁部４２ｃ，４２ｄを結ぶ幅方向の中心線を想定した場合、その中心線の長さに相当する。また、上孔部４２の幅Ｄ、つまり各円弧縁部４２ａ，４２ｂの間の距離は下孔部４１の最小開口幅Ｗｌよりも小さくされている。また、上孔部４２は、その全体又は略全体が支持脚１２の中空部２８の真上に位置している。
【００６１】
以上、詳述した本実施形態の構成によれば、以下の優れた効果が得られる。
【００６２】
支持脚１２の中空部２８が脚ゴム１８に形成された下孔部４１により下側に開放されているため、中空部２８に入った水を下孔部４１を通じて真下に排出することができる。これにより、浴槽台１０を浴槽内から取り出す際、中空部２８内の水を速やかに排出することができる。また、脚ゴム１８の底面部に設けられた吸盤３１は下孔部４１に対して脚ゴム１８の底面方向にずらして配置されているため、吸盤３１によって下孔部４１が覆われることがない。このため、脚ゴム１８に吸盤３１が設けられた構成にあっても、中空部２８内の水を下方に向け速やかに排出することができる。
【００６３】
また、支持脚１２の中空部２８は台部１１（具体的には座部１３の天板部１５）に形成された上孔部４２により上側に開放されているため、浴槽台１０を浴槽内に沈めて配置する際には中空部２８内の空気を上孔部４２を通じて速やかに排出することができる。また、中空部２８の真下に下孔部４１が形成されているため、浴槽台１０を浴槽内に沈める際には、その下孔部４１から中空部２８に水が導入し易くなっている。そのため、その水の導入によっても中空部２８内の空気の排出を促すことができる。これにより、浴槽台１０を浴槽内に沈める際に、浴槽台１０を速やかに沈めることが可能となる。よって、以上より、浴槽台１０を浴槽で使用する場合において、その使い勝手を向上させることができる。
【００６４】
支持脚１２の真下に位置する下孔部４１に対し吸盤３１をずらして配置した上記実施形態の構成では、支持脚１２からの下向き荷重が吸盤３１に上手く伝わらないおそれがある。その点、上記の実施形態では、下孔部４１をＤ字形状とし、その下孔部４１と吸盤３１とを、下孔部４１の開口幅が最大となる最大開口幅方向とは異なる方向に並ぶように配置した。この場合、平面視において吸盤３１を支持脚１２の軸線寄りに位置させ易くすることができるため、支持脚１２からの荷重を吸盤３１に伝え易くすることができる。これにより、吸盤３１を下孔部４１に対してずらして配置した構成にあっても、吸盤３１による吸着力を確保し易くすることができる。なお、支持脚１２の軸線とは、支持脚１２の円弧壁部１２ａの円弧中心を通って支持脚１２の長さ方向（上下方向）に延びる線のことである。
【００６５】
具体的には、下孔部４１と吸盤３１とは、下孔部４１の開口幅が最小となる最小開口幅方向に並ぶように配置されているため、平面視において吸盤３１を支持脚１２の軸線寄りにより一層位置させ易くすることができる。このため、支持脚１２からの荷重を吸盤３１により伝え易くすることができ、その結果、吸盤３１による吸着力をより一層確保し易くすることができる。
【００６６】
支持脚１２の断面が下孔部４１の形状に合わせたＤ字形状とされているため、下孔部４１がＤ字形状とされた構成にあって、支持脚１２の中空部２８から下孔部４１を通じて水が排出される際の水の流れを円滑にすることができ、その結果、中空部２８内の水の排出を円滑に行うことができる。
【００６７】
また、脚ゴム１８と一体で設けられた取付部材３３が断面Ｄ字形状の支持脚１２に下方から内挿されることで取り付けられているため、脚ゴム１８が支持脚１２の軸線周り方向に回転するのを規制することができる。そのため、吸盤３１が支持脚１２の軸線に対して偏った位置に配置される上記実施形態の構成にあって、支持脚１２の軸線周り方向における吸盤３１の位置を規定することができる。これにより、各支持脚１２ごとに、支持脚１２に対する吸盤３１の位置関係を同じとすることができるため、各支持脚１２ごとに吸盤３１の位置が変わることで吸盤３１による吸着バランスが悪くなるといった不都合が生じるのを防止できる。
【００６８】
下孔部４１が支持脚１２の中空部２８の下端開口に合わせた大きさ及び形状を有して形成されているため、下孔部４１を通じて支持脚１２内（中空部２８）を清掃し易くすることができる。これにより、脚ゴム１８を支持脚１２から取り外すことなく、支持脚１２内を清掃することが可能となる。
【００６９】
上孔部４２が細長形状とされているため、使用者が上孔部４２に誤って指を入れてしまうのを防止することができる。また、上孔部４２は、その長さＬが下孔部４１の最大開口幅Ｗ２よりも大きくされているため、細長形状であってもその開口面積を十分に確保することができる。このため、浴槽台１０を浴槽内に沈める際には、上孔部４２を通じて中空部２８内の空気を円滑に排出することができる。
【００７０】
具体的には、上孔部４２は円弧状に延びているため、上孔部４２を細長形状としながらも上孔部４２の長さ範囲の大部分について中空部２８の真上に位置させることができる。これにより、上孔部４２を通じた中空部２８内の空気の排出をより円滑に行うことが可能となる。
【００７１】
本発明は上記実施形態に限らず、例えば次のように実施されてもよい。
【００７２】
・上記実施形態では、下孔部４１を支持脚１２の中空部２８の下端開口に合わせた大きさ及び形状を有して形成したが、下孔部４１は必ずしも中空部２８の下端開口に合わせて形成する必要はない。例えば、下孔部４１を、中空部２８の下端開口よりも小さい丸孔として形成してもよい。但し、下孔部４１を通じた中空部２８内の清掃のし易さを考えると、上記実施形態のように下孔部４１を中空部２８の下端開口に合わせて形成するのが望ましい。
【００７３】
・上記実施形態では、下孔部４１と吸盤３１とを下孔部４１の最小開口幅方向に並ぶよう配置したが、下孔部４１と吸盤３１とは必ずしもこの方向に並ぶよう配置する必要はない。例えば、下孔部４１の開口幅が最小開口幅Ｗ１よりも大きくかつ最大開口幅Ｗ２よりも小さくなる場合の開口幅方向に下孔部４１と吸盤３１とが並ぶように配置することが考えられる。この場合にも、吸盤３１を支持脚１２の軸線寄りに位置させ易くすることができる。
【００７４】
・上記実施形態では、下孔部４１をＤ字形状としたが、下孔部４１を長方形状や長円形状等、他の非円形状（つまり真円以外の形状）としてもよい。この場合においても、下孔部４１と吸盤３１とを、下孔部４１の最大開口幅方向とは異なる方向に並ぶよう配置することで、吸盤３１を支持脚１２の軸線寄りに位置させ易くすることができる。
【００７５】
例えば、下孔部４１を長方形状とした場合、下孔部４１と吸盤３１とを下孔部４１の短辺方向に並ぶよう配置することが考えられる。下孔部４１の短辺方向は下孔部４１の最小開口幅に相当するため、この場合、下孔部４１と吸盤３１とは最小開口幅方向に並んで配置されることになる。なお、下孔部４１が長方形状の場合、その開口幅は下孔部４１の中心を通って両端が下孔部４１の周縁部に位置する線分を想定した場合、その線分の長さに相当する。また、この場合、下孔部４１の長辺方向が最大開口幅方向に相当する。
【００７６】
また、下孔部４１を長方形状とした場合、支持脚１２の断面形状をその下孔部４１の形状に対応する長方形状とするようにしてもよい。
【００７７】
・上記実施形態では、支持脚１２の断面形状を下孔部４１の形状に対応させてＤ字形状としたが、支持脚１２の断面形状は必ずしも下孔部４１の形状に対応させる必要はない。例えば、支持脚１２の断面形状を円形状にすることが考えられる。つまり、支持脚１２を円筒状に形成することが考えられる。
【００７８】
・ところで、浴槽台によっては、支持脚１２の下端部に脚ゴム１８が取り付けられていないものがある。このような浴槽台では、支持脚１２の中空部２８がその下端開口（請求項２の下孔部に相当）を通じて下側に開放されることになる。このため、中空部２８に入った水をその下端開口を通じて真下に排出することが可能となる。つまり、このような浴槽台では、脚ゴム１８の下孔部４１に代えて、中空部２８の下端開口が中空部２８内の水を真下に排出する排出口として機能することになる。したがって、かかる浴槽台においても、浴槽台を浴槽内から取り出す際、中空部２８内の水を速やかに排出することができる。
【００７９】
・上記実施形態では、上孔部４２を円弧状に延びるよう形成したが、例えば上孔部４２を直線状に延びるよう形成してもよい。この場合にも、上孔部４２が細長形状とされているため、使用者が上孔部４２に指を入れてしまうのを防止することができる。また、上孔部４２は必ずしも細長形状とする必要はなく、例えば円形状や三角形等の多角形状、十字形状等にしてもよい。
【００８０】
また、天板部１５に上孔部４２を複数形成してもよい。この場合、各上孔部４２をそれぞれ支持脚１２の中空部２８の真上に形成し、それら各上孔部４２によりそれぞれ中空部２８を上側に開放させるようにする。例えば、円形状の上孔部４２を２つ又は３つ並べて形成することが考えられる。この場合、各上孔部４２の大きさを小さくすることができるため、上孔部４２を細長形状とした場合と同様、使用者が上孔部４２に指を入れてしまうのを防止することができる。また、上孔部４２が複数形成されているため、上孔部４２全体でその開口面積を十分に確保することができる。
【００８１】
・上記実施形態では、下孔部４１の全体が吸盤３１により下方から覆われていない状態となっていたが、下孔部４１の一部（例えば半分程度）が吸盤３１により下方から覆われているようにしてもよい。この場合にも、下孔部４１の残りの部分については吸盤３１により下方から覆われていないため、支持脚１２の中空部２８内に入った水を下孔部４１から下方に向け速やかに排出することができる。
【００８２】
・上記実施形態では、脚ゴム１８に吸盤３１を１つだけ設けたが、脚ゴム１８に吸盤３１を複数設けるようにしてもよい。その場合、各吸盤３１をそれぞれ下孔部４１に対してずらして配置することになる。また、脚ゴム１８に吸盤３１を設けないようにしてもよい。
【００８３】
・上記実施形態では、取付部材３３を支持脚１２に内挿する構成としたが、取付部材３３を支持脚１２に外挿する構成としてもよい。この場合においても、取付部材３３ひいては脚ゴム１８が支持脚１２の軸線周り方向に回転するのを規制することができる。
【００８４】
また、上記実施形態では、取付部材３３（取付部に相当）を脚ゴム１８とは別体で形成したが、取付部をゴム材により脚ゴム１８と一体形成してもよい。
【００８５】
・上記実施形態では、支持脚１２を外筒２１と内筒２２とを有して長さ調整可能に構成したが、支持脚１２は必ずしも長さ調整可能とする必要はない。その場合、支持脚１２を一の筒状体により形成することが考えられる。また、この場合、その筒状体の内部空間が中空部となる。
【符号の説明】
【００８６】
１０…浴槽台、１１…台部、１２…支持脚、１８…脚ゴム、２８…中空部、３１…吸盤、３３…取付部としての取付部材、４１…下孔部、４２…上孔部。
【図１】
2020168316.tif 000003
【図２】
2020168316.tif 000004
【図３】
2020168316.tif 000005
【図４】
2020168316.tif 000006
【図５】
2020168316.tif 000007
【図６】
2020168316.tif 000008
【図７】
2020168316.tif 000009
【図８】
2020168316.tif 000010